(57)【要約】【課題】パラメータ設定変更操作の競合を回避するための構成およびユーザーの操作手順を簡略化する。【解決手段】本体部１は、表示器２Ａ，２Ｂからの要求に応じてパラメータを設定変更する本体情報処理部と、表示器２Ａ，２Ｂから送られたメッセージを宛先の表示器２Ａ，２Ｂに転送する第１の表示器間協調処理部を備える。各表示器２Ａ，２Ｂは、ユーザーのパラメータ設定変更操作に応じてパラメータを設定変更するよう本体部１に要求するパラメータ処理部と、ユーザーの操作に応じて他の表示器のユーザーに対するメッセージを作成するメッセージ作成部と、メッセージ作成部によって作成されたメッセージを本体部１に送り、他の表示器から本体部１を経由して送られたメッセージを受け取る第２の表示器間協調処理部と、他の表示器から送られたメッセージを表示する画面制御処理部とを備える。【選択図】  図１
2019070998.tif 000002
【特許請求の範囲】
【請求項１】
設定されたパラメータに従って所定の動作を行うように構成された本体部と、
情報表示のための複数の表示器と、
前記表示器毎に設けられた複数の操作部とを備え、
前記本体部は、
前記表示器からの要求に応じて前記パラメータを設定変更するように構成された本体情報処理部と、
前記表示器から送られたメッセージを宛先の表示器に転送するように構成された第１の表示器間協調処理部とを備え、
各表示器は、
前記操作部に対するユーザーのパラメータ設定変更操作に応じて前記パラメータを設定変更するよう前記本体部に要求するように構成されたパラメータ処理部と、
前記操作部に対するユーザーの操作に応じて他の表示器のユーザーに対するメッセージを作成するように構成されたメッセージ作成部と、
このメッセージ作成部によって作成されたメッセージを前記本体部に送り、他の表示器から前記本体部を経由して送られたメッセージを受け取るように構成された第２の表示器間協調処理部と、
前記他の表示器から送られたメッセージを表示するように構成された画面制御処理部とを備えることを特徴とするフィールド機器。
【請求項２】
請求項１記載のフィールド機器において、
前記メッセージ作成部は、予め用意されている前記メッセージの種類に対するユーザーの選択結果に応じて前記メッセージを作成することを特徴とするフィールド機器。
【請求項３】
請求項２記載のフィールド機器において、
前記メッセージの種類として、他の表示器のユーザーに対してその人が誰かを問うメッセージ、他の表示器のユーザーに対して自分が誰かを明らかにするメッセージ、他の表示器のユーザーに対して自分に電話をかけることを求めるメッセージ、他の表示器のユーザーに対して操作中止を求めるメッセージが予め用意されていることを特徴とするフィールド機器。
【請求項４】
請求項１乃至３のいずれか１項に記載のフィールド機器において、
前記画面制御処理部は、前記本体部の状態を監視するためのモニター画面、または前記パラメータを設定変更するためのパラメータ設定画面のいずれかの表示中に、前記他の表示器から送られたメッセージを表示することを特徴とするフィールド機器。
【請求項５】
請求項１乃至４のいずれか１項に記載のフィールド機器において、
前記本体部は、
各表示器の状態情報を記憶するように構成された第１の表示器情報記憶部と、
各表示器から送られた状態情報を受け取って前記第１の表示器情報記憶部に記憶された状態情報を更新し、前記第１の表示器情報記憶部に記憶された状態情報を各表示器に送るように構成された第１の表示器情報処理部とをさらに備え、
各表示器は、
自器の状態情報を前記本体部に送り、前記本体部から送られた他の表示器の状態情報を受け取るように構成された第２の表示器情報処理部と、
前記他の表示器の状態情報を記憶するように構成された第２の表示器情報記憶部とをさらに備え、
前記画面制御処理部は、前記第２の表示器情報記憶部に記憶された他の表示器の状態情報を表示することを特徴とするフィールド機器。
【発明の詳細な説明】
【技術分野】
【０００１】
本発明は、フィールド機器に係り、特に複数の表示器を本体部に接続したフィールド機器に関するものである。
【背景技術】
【０００２】
複数の場所から機器を操作可能にするために複数の場所に設置した複数の表示器を１台の機器に接続することがある。複数の表示器を別々の操作者が同時に操作して、第１の操作者の操作結果が第２の操作者の操作状態に影響した場合、第２の操作者は表示器や機器が故障していると誤解する可能性があり、本来必要のない作業に時間を費やしてしまう虞がある。
【０００３】
このような誤解を防ぐためには、パラメータ設定など機器の状態に影響する操作は１台の表示器だけに限定し、他の表示器は機器の状態を表示するだけにする方法がある。表示器の限定方法としては、前もって１台の表示器を指定しておく方法と、先に操作を始めた表示器１台に限定するようにして、操作が終わったら他の表示器も操作を始められるようにする方法がある。例えば特許文献１に開示されたプラント監視制御装置では、複数の操作入力装置のいずれからでもプラント機器の操作が可能であるが、１台の操作入力装置による操作中は他の操作入力装置から操作できないようにしている。
【０００４】
しかしながら、従来の方法では、以下の（I）〜（III）のような課題があった。
（I）操作可能な表示器を１台に限定するため、複数の場所からの同時操作ができない。
（II）前もって１台の表示器を指定する方法の場合、他の表示器から操作することができない。
（III）操作可能な表示器を切り替える方法の場合、切り替えの制御が複雑になるため、何らかの原因で切り替えが正しくできなくなる可能性が高い。
【０００５】
以下、従来の課題について具体例で説明する。ここでは、調節計を例に挙げて説明する。図２４は従来の調節計の本体部の構成を示すブロック図である。図２４では、調節計の本体部１００の構成のうち、表示器１０１Ａ，１０１Ｂに関係する構成のみを示し、調節計の計測と制御と操作端（外部装置）操作とに関係する構成については図示していない。調節計の計測と制御と操作端（外部装置）操作の状態のデータ、および本体部１００のパラメータが本体情報記憶部１０に格納される。
【０００６】
＜例１−１＞
調節計で、表示器１０１Ａに、制御量ＰＶと設定値ＳＰと操作量ＭＶと表示器１０１Ｂの状態とを表示するときの動作の例を図２５を参照して説明する。制御量ＰＶ（プロセス量）は計測のデータ（例えば温度計測値）、設定値ＳＰは制御のデータ（例えば温度設定値）、操作量ＭＶは操作端操作のデータである。制御対象に対して出力される操作量ＭＶにより制御対象の制御が行われることは言うまでもない。
【０００７】
表示器１０１Ａ，１０１Ｂの表示状態には、ユーザーが本体部１００の状態を監視するためのモニター画面を表示する状態と、ユーザーが本体部１００のパラメータを変更あるいは確認するためのパラメータ設定画面を表示する状態とがある。
【０００８】
本体情報処理部１１は、本体部１００の計測処理部（不図示）から制御量ＰＶを受け取り、本体情報記憶部１０に格納する（図２５ステップＳ１０００）。本体情報処理部１１は、本体部１００の制御処理部（不図示）から設定値ＳＰを受け取り、本体情報記憶部１０に格納する（図２５ステップＳ１００１）。本体情報処理部１１は、本体部１００の操作端操作処理部（不図示）から操作量ＭＶを受け取り、本体情報記憶部１０に格納する（図２５ステップＳ１００２）。本体情報処理部１１は、制御量ＰＶと設定値ＳＰと操作量ＭＶとを本体情報記憶部１０から取り出し、通信情報提供処理部１２に渡す。（図２５ステップＳ１００３）。
【０００９】
一方、通信電文処理部１３Ｂは、表示器１０１Ｂから表示器１０１Ｂの状態を示す通信電文を受信し（図２５ステップＳ１００４）、この通信電文を解釈して、表示器１０１Ｂの状態情報を更新する要求を生成する（図２５ステップＳ１００５）。なお、状態情報には、表示器に固有の識別コードが付加されている。
【００１０】
通信要求受付処理部１４は、通信電文処理部１３Ｂから表示器１０１Ｂの状態情報の更新要求を受け取り、表示器情報処理部１５に渡す（図２５ステップＳ１００６）。この更新要求を受け取った表示器情報処理部１５は、表示器情報記憶部１６に記憶されている表示器１０１Ｂの状態情報を更新する（図２５ステップＳ１００７）。
【００１１】
表示器情報処理部１５は、表示器１０１Ｂの状態情報を表示器情報記憶部１６から取り出し、通信情報提供処理部１２に渡す（図２５ステップＳ１００８）。
通信情報提供処理部１２は、本体情報処理部１１から受け取った制御量ＰＶと設定値ＳＰと操作量ＭＶと、表示器情報処理部１５から受け取った表示器１０１Ｂの状態情報とを通信電文処理部１３Ａに渡す（図２５ステップＳ１００９）。
【００１２】
通信電文処理部１３Ａは、通信情報提供処理部１２から制御量ＰＶと設定値ＳＰと操作量ＭＶと表示器１０１Ｂの状態情報とを受け取り、これらの情報を含む通信電文を作成して（図２５ステップＳ１０１０）、作成した通信電文を表示器１０１Ａに送る（図２５ステップＳ１０１１）。
【００１３】
＜例１−２＞
次に、調節計で、表示器１０１Ｂに、制御量ＰＶと設定値ＳＰと操作量ＭＶと表示器１０１Ａの状態とを表示するときの動作の例を説明する。処理の流れは例１−１の場合と同様なので、図２５の符号を用いて説明する。本体情報処理部１１は、例１−１と同様に動作する（図２５ステップＳ１０００〜Ｓ１００３）。
【００１４】
通信電文処理部１３Ａは、表示器１０１Ａから表示器１０１Ａの状態を示す通信電文を受信し（図２５ステップＳ１００４）、この通信電文を解釈して、表示器１０１Ａの状態情報を更新する要求を生成する（図２５ステップＳ１００５）。
通信要求受付処理部１４は、通信電文処理部１３Ａから表示器１０１Ａの状態情報の更新要求を受け取り、表示器情報処理部１５に渡す（図２５ステップＳ１００６）。この更新要求を受け取った表示器情報処理部１５は、表示器情報記憶部１６に記憶されている表示器１０１Ａの状態情報を更新する（図２５ステップＳ１００７）。
【００１５】
表示器情報処理部１５は、表示器１０１Ａの状態情報を表示器情報記憶部１６から取り出し、通信情報提供処理部１２に渡す（図２５ステップＳ１００８）。
通信情報提供処理部１２は、本体情報処理部１１から受け取った制御量ＰＶと設定値ＳＰと操作量ＭＶと、表示器情報処理部１５から受け取った表示器１０１Ａの状態情報とを通信電文処理部１３Ｂに渡す（図２５ステップＳ１００９）。
【００１６】
通信電文処理部１３Ｂは、通信情報提供処理部１２から制御量ＰＶと設定値ＳＰと操作量ＭＶと表示器１０１Ａの状態情報とを受け取り、これらの情報を含む通信電文を作成して（図２５ステップＳ１０１０）、作成した通信電文を表示器１０１Ｂに送る（図２５ステップＳ１０１１）。
【００１７】
＜例１−３＞
次に、調節計で、ユーザーが表示器１０１Ａを操作して、設定値ＳＰを１００という値に設定するときの動作の例を図２６を参照して説明する。調節計には多くのパラメータがあるが、制御のデータである設定値ＳＰもパラメータの一種である。
【００１８】
通信電文処理部１３Ａは、表示器１０１Ａから設定値ＳＰを１００に設定するという通信電文を受信し（図２６ステップＳ１１００）、この通信電文を解釈して、設定値ＳＰを１００にするという設定要求を生成する（図２６ステップＳ１１０１）。
通信要求受付処理部１４は、通信電文処理部１３Ａから設定要求を受け取り、本体情報処理部１１に要求を渡す（図２６ステップＳ１１０２）。設定要求を受け取った本体情報処理部１１は、本体情報記憶部１０に記憶されている設定値ＳＰを１００に設定する（図２６ステップＳ１１０３）。
【００１９】
＜例１−４＞
次に、調節計で、ユーザーが表示器１０１Ｂを操作して、設定値ＳＰを１００という値に設定するときの動作の例を説明する。処理の流れは例１−３の場合と同様なので、図２６の符号を用いて説明する。
【００２０】
通信電文処理部１３Ｂは、表示器１０１Ｂから設定値ＳＰを１００に設定するという通信電文を受信し（図２６ステップＳ１１００）、この通信電文を解釈して、設定値ＳＰを１００にするという設定要求を生成する（図２６ステップＳ１１０１）。通信要求受付処理部１４および本体情報処理部１１は、例１−３と同様に動作する（図２６ステップＳ１１０２，Ｓ１１０３）。
【００２１】
図２７は従来の表示器１０１Ａの構成を示すブロック図である。図２７では、表示器１０１Ａの構成を示しているが、表示器１０１Ｂの構成も表示器１０１Ａと同様である。
【００２２】
＜例２−１＞
調節計で、表示器１０１Ａにモニター画面を表示するときの動作の例を図２８を参照して説明する。表示器１０１Ａのモニター画面には、制御量ＰＶと設定値ＳＰと操作量ＭＶと表示器１０１Ｂの状態とを表示する。
【００２３】
表示器１０１Ａの通信電文処理部２０は、本体部１００から本体部１００の状態を示す通信電文を受信し（図２８ステップＳ１２００）、この通信電文を解釈して、制御量ＰＶと設定値ＳＰと操作量ＭＶとを含む本体部１００の状態情報を取り出して表示器１０１Ａの本体情報処理部２１に渡す（図２８ステップＳ１２０１）。表示器１０１Ａの本体情報処理部２１は、受け取った本体部１００の状態情報を表示器１０１Ａの本体情報記憶部２２に格納する（図２８ステップＳ１２０２）。
【００２４】
また、表示器１０１Ａの通信電文処理部２０は、本体部１００から表示器１０１Ｂの状態を示す通信電文を受信し（図２８ステップＳ１２０３）、この通信電文を解釈して、表示器１０１Ｂの状態情報を取り出して表示器１０１Ａの表示器情報処理部２３に渡す（図２８ステップＳ１２０４）。表示器１０１Ａの表示器情報処理部２３は、受け取った表示器１０１Ｂの状態情報を表示器１０１Ａの表示器情報記憶部２４に格納する（図２８ステップＳ１２０５）。
【００２５】
表示器１０１Ａのモニター画面には、制御量ＰＶと設定値ＳＰと操作量ＭＶの値を表示する第１表示領域と、表示器１０１Ｂの状態を表示する第２表示領域と、後述するボタン類を表示する第３表示領域とがある。
【００２６】
表示器１０１Ａの画面制御処理部２５は、制御量ＰＶと設定値ＳＰと操作量ＭＶとを本体情報記憶部２２から読み出すと共に、表示器１０１Ｂの状態情報を表示器情報記憶部２４から読み出し、制御量ＰＶと設定値ＳＰと操作量ＭＶとを第１表示領域に、表示器１０１Ｂの状態を第２表示領域に、後述するボタン類を第３表示領域にそれぞれ表示するための画面表示用データを生成して表示器１０１Ａの表示処理部２６に渡す（図２８ステップＳ１２０６）。
【００２７】
表示器１０１Ａの表示処理部２６は、受け取った画面表示用データに従って液晶表示器２７を制御する。これにより、表示器１０１Ａの液晶表示器２７の画面の第１表示領域に制御量ＰＶと設定値ＳＰと操作量ＭＶとが表示され、第２表示領域に表示器１０１Ｂの状態が表示され、第３表示領域にボタン類が表示される（図２８ステップＳ１２０７）。
【００２８】
＜例２−２＞
次に、調節計で、表示器１０１Ａから表示器１０１Ａの状態情報を本体部１００に送る動作の例を図２９を参照して説明する。
表示器１０１Ａの画面制御処理部２５は、液晶表示器２７の画面の状態を表示器１０１Ａの表示器情報処理部２３に通知する（図２９ステップＳ１３００）。
【００２９】
この通知を受けた表示器情報処理部２３は、表示器１０１Ａの状態情報を生成して（図２９ステップＳ１３０１）、生成した状態情報を表示器１０１Ａの通信電文処理部２０に渡す（図２９ステップＳ１３０２）。状態情報を受け取った通信電文処理部２０は、表示器１０１Ａの状態を示す通信電文を作成して（図２９ステップＳ１３０３）、作成した通信電文を本体部１００に送る（図２９ステップＳ１３０４）。
表示器１０１Ｂから表示器１０１Ｂの状態情報を本体部１００に送る動作は、以上の図２９で説明した動作と同様である。
【００３０】
＜例２−３＞
次に、調節計で、表示器１０１Ａにパラメータ設定画面を表示するときの動作の例を図３０を参照して説明する。表示器１０１Ａのパラメータ設定画面には、パラメータの設定値と表示器１０１Ｂの状態とを表示する。
【００３１】
表示器１０１Ａの画面制御処理部２５は、パラメータの設定値の取得を表示器１０１Ａのパラメータ処理部２８に要求する（図３０ステップＳ１４００）。表示器１０１Ａのパラメータ処理部２８は、パラメータの設定値の取得要求を表示器１０１Ａの通信電文処理部２０に渡す（図３０ステップＳ１４０１）。表示器１０１Ａの通信電文処理部２０は、パラメータの設定値を要求する通信電文を作成して（図３０ステップＳ１４０２）、作成した通信電文を本体部１００に送る（図３０ステップＳ１４０３）。
【００３２】
表示器１０１Ａの通信電文処理部２０は、本体部１００からパラメータの設定値を示す通信電文を受信すると（図３０ステップＳ１４０４においてＹＥＳ）、この通信電文を解釈して、パラメータの設定値を取り出して表示器１０１Ａのパラメータ処理部２８に渡す（図３０ステップＳ１４０５）。表示器１０１Ａのパラメータ処理部２８は、受け取ったパラメータの設定値を表示器１０１Ａのパラメータ記憶部２９に格納する（図３０ステップＳ１４０６）。
【００３３】
また、表示器１０１Ａの通信電文処理部２０は、本体部１００から表示器１０１Ｂの状態を示す通信電文を受信し（図３０ステップＳ１４０７）、この通信電文を解釈して、表示器１０１Ｂの状態情報を取り出して表示器１０１Ａの表示器情報処理部２３に渡す（図３０ステップＳ１４０８）。表示器１０１Ａの表示器情報処理部２３は、受け取った表示器１０１Ｂの状態情報を表示器１０１Ａの表示器情報記憶部２４に格納する（図３０ステップＳ１４０９）。
【００３４】
表示器１０１Ａのパラメータ設定画面には、パラメータの設定値を表示する第１表示領域と、表示器１０１Ｂの状態を表示する第２表示領域と、後述するボタン類を表示する第３表示領域とがある。
【００３５】
表示器１０１Ａの画面制御処理部２５は、パラメータの設定値をパラメータ記憶部２９から読み出すと共に、表示器１０１Ｂの状態情報を表示器情報記憶部２４から読み出し、パラメータを識別するためのパラメータの名称または番号とパラメータの設定値とを第１表示領域に、表示器１０１Ｂの状態を第２表示領域に、後述するボタン類を第３表示領域にそれぞれ表示するための画面表示用データを生成して表示器１０１Ａの表示処理部２６に渡す（図３０ステップＳ１４１０）。
【００３６】
表示器１０１Ａの表示処理部２６は、受け取った画面表示用データに従って液晶表示器２７を制御する。これにより、表示器１０１Ａの液晶表示器２７の画面の第１表示領域にパラメータの設定値が表示され、第２表示領域に表示器１０１Ｂの状態が表示され、第３表示領域にボタン類が表示される（図３０ステップＳ１４１１）。
表示器１０１Ｂにパラメータ設定画面を表示する動作は、以上の図３０で説明した動作と同様である。
【００３７】
次に、表示器１０１Ａ，１０１Ｂの液晶表示器２７とタッチセンサ３０について説明する。以下の例では、表示器１０１Ａについて説明するが、表示器１０１Ｂの構成も表示器１０１Ａと同様である。表示器１０１Ａを正面から見ると、図３１に示すように、液晶表示器２７の表面にタッチセンサ３０が配置された領域と、それらを囲むベゼル２０１２とがある。
【００３８】
表示器１０１Ａは、液晶表示器２７に数字、文字、図形を表示する。また、表示器１０１Ａは、液晶表示器２７にボタンの図形を表示し、このボタンの図形の近傍を押されたことをタッチセンサ３０で検出したときはボタンが押されたと解釈して、動作を行う。図３２は表示器１０１Ａにおけるボタン操作と画面遷移を示す図である。
【００３９】
＜例３−１＞
表示器１０１Ａに表示されるモニター画面の１例を説明する。モニター画面なので、画面切り替えボタンの表示は、図３３に示すように、モニター画面を意味するＭＯＮＩボタン２０２０が黒地に白文字の選択状態、パラメータ設定を意味するＰＡＲＡボタン２０２１が白地の黒文字の非選択状態になっている。モニター画面には、本体部１００の状態情報として、制御量ＰＶ、設定値ＳＰ、操作量ＭＶの各値が表示される。
【００４０】
また、モニター画面の最下部には、表示器１０１Ｂの状態情報２０２２が表示される。図３３の例では、表示器１０１Ｂを意味する「ＨＭＩ−Ｂ」とモニター画面を意味する「Ｍｏｎｉｔｏｒｉｎｇ」とが表示されているので、表示器１０１Ｂがモニター画面を表示していることが分かる。したがって、表示器１０１Ａのモニター画面を見ているユーザーは、表示器１０１Ｂでパラメータ設定操作が行われていないので、表示器１０１Ａでパラメータ設定操作を行っても、操作が競合することはないと分かる。
【００４１】
＜例３−２＞
次に、表示器１０１Ａに表示されるモニター画面の別の例を説明する。図３４の例では、モニター画面の最下部に表示される、表示器１０１Ｂの状態情報２０２２として、表示器１０１Ｂを意味する「ＨＭＩ−Ｂ」とパラメータ設定画面を意味する「Ｐａｒａ  ｓｅｔｔｉｎｇ」とが表示されているので、表示器１０１Ｂがパラメータ設定画面を表示していることが分かる。したがって、表示器１０１Ａのモニター画面を見ているユーザーは、表示器１０１Ｂでパラメータ設定操作が行われているので、表示器１０１Ａでパラメータ設定操作を行うと、操作が競合する可能性があると分かる。
【００４２】
＜例３−３＞
次に、表示器１０１Ａのモニター画面をパラメータ設定画面に切り替えたときの動作の例を説明する。図３３のように表示器１０１Ａにモニター画面が表示されている状態で、ユーザーがＰＡＲＡボタン２０２１を押すと、図３５に示すようなパラメータ設定画面になる（図３２の３００の遷移）。
【００４３】
パラメータ設定画面なので、画面切り替えボタンの表示は、モニター画面を意味するＭＯＮＩボタン２０２０が白地に黒文字の非選択状態、パラメータ設定を意味するＰＡＲＡボタン２０２１が黒地の白文字の選択状態になっている。パラメータ設定画面には、複数のパラメータの中から１つのパラメータの値が表示される。図３５の例では、パラメータの１つである設定値ＳＰの値が表示されている。
【００４４】
また、パラメータ設定画面には、設定操作のためのボタンとして、１つ前のパラメータの設定値を表示するための左矢印（←）ボタン２０２３と、１つ後のパラメータの設定値を表示するための右矢印（→）ボタン２０２４と、パラメータ設定変更画面を表示するためのＣｈａｎｇｅボタン２０２５とが表示される。
【００４５】
さらに、パラメータ設定画面の最下部には、表示器１０１Ｂの状態情報２０２２が表示される。図３５の例では、表示器１０１Ｂを意味する「ＨＭＩ−Ｂ」とモニター画面を意味する「Ｍｏｎｉｔｏｒｉｎｇ」とが表示されているので、表示器１０１Ｂがモニター画面を表示していることが分かる。したがって、表示器１０１Ａのパラメータ設定画面を見ているユーザーは、表示器１０１Ｂでパラメータ設定操作が行われていないので、表示器１０１Ａでパラメータ設定操作を行っても、操作が競合することはないと分かる。
【００４６】
＜例３−４＞
次に、表示器１０１Ａに表示されるパラメータ設定変更画面の例を説明する。図３５のように表示器１０１Ａにパラメータ設定画面が表示されている状態で、ユーザーがＣｈａｎｇｅボタン２０２５を押すと、図３６に示すようなパラメータ設定変更画面になる（図３２の３０１の遷移）。ここでは、図３５の状態で設定値ＳＰが表示されていたので、設定値ＳＰを変更するパラメータ設定変更画面になる。
【００４７】
パラメータ設定変更画面には、設定変更対象のパラメータの数値と、テンキーと呼ばれる複数のボタンとが表示される。テンキーには、「０」から「９」の数字ボタン２０２６と、小数点ボタン２０２７と、符号を反転させる反転ボタン２０２８と、入力を全て消すためのＣボタン２０２９と、最後の入力を消すためのＢＳボタン２０３０と、入力を完了してパラメータ設定画面に戻るためのＥＮＴボタン２０３１と、入力を中止してパラメータ設定画面に戻るためのＣＡＮボタン２０３２とがある。
【００４８】
図３６のように表示器１０１Ａにパラメータ設定変更画面が表示されている状態で、ユーザーがＥＮＴボタン２０３１またはＣＡＮボタン２０３２を押すと、パラメータ設定画面になる（図３２の３０２の遷移）。また、表示器１０１Ａにパラメータ設定画面が表示されている状態で、ユーザーがＭＯＮＩボタン２０２０を押すと、モニター画面になる（図３２の３０３の遷移）。
【００４９】
表示器１０１Ａにパラメータ設定変更画面を表示するときの動作の例を図３７を参照して説明する。表示器１０１Ａの画面制御処理部２５は、図３６に示すボタン類を表示するための画面表示用データを生成して表示器１０１Ａの表示処理部２６に渡す（図３７ステップＳ１５００）。
表示器１０１Ａの表示処理部２６は、受け取った画面表示用データに従って液晶表示器２７を制御する。これにより、表示器１０１Ａに図３６に示すようなパラメータ設定変更画面が表示される（図３７ステップＳ１５０１）。
【００５０】
表示器１０１Ａの画面制御処理部２５は、ボタン２０２６〜２０３０に対するユーザーの操作に応じて、パラメータの値を変更した画面表示用データを生成する（図３７ステップＳ１５０２，Ｓ１５０３）。
表示器１０１Ａの表示処理部２６は、受け取った画面表示用データに従って液晶表示器２７を制御する。これにより、パラメータ設定変更画面に表示される設定変更対象のパラメータの数値が変更される（図３７ステップＳ１５０４）。
【００５１】
ユーザーがＥＮＴボタン２０３１またはＣＡＮボタン２０３２を押すまで、ステップＳ１５０２〜Ｓ１５０４の処理が繰り返し実行される。
ユーザーがＥＮＴボタン２０３１を押すと（図３７ステップＳ１５０５においてＹＥＳ）、表示器１０１Ａの画面制御処理部２５は、設定変更後のパラメータの数値を表示器１０１Ａのパラメータ処理部２８に渡す。パラメータ処理部２８は、表示器１０１Ａのパラメータ記憶部２９に記憶されている当該パラメータの数値を変更する（図３７ステップＳ１５０６）。そして、パラメータ処理部２８は、設定変更後のパラメータの数値を本体部１００に通知するため、表示器１０１Ａの通信電文処理部２０に渡す。
【００５２】
表示器１０１Ａの通信電文処理部２０は、設定変更後のパラメータの数値を示す通信電文を作成し（図３７ステップＳ１５０７）、作成した通信電文を本体部１００に送る（図３７ステップＳ１５０８）。そして、表示器１０１Ａの画面制御処理部２５は、パラメータ設定画面を表示させる（図３７ステップＳ１５０９）。
【００５３】
また、ユーザーがＣＡＮボタン２０３２を押すと（図３７ステップＳ１５１０においてＹＥＳ）、表示器１０１Ａの画面制御処理部２５は、パラメータを変更することなく、パラメータ設定画面を表示させる（図３７ステップＳ１５０９）。
【００５４】
図３６の例では、小型の液晶表示器２７で表示面積が狭く、テンキーを表示すると残りのスペースが足りないという理由で、他の表示器の状態を表示していない。ただし、パラメータ設定変更にかかる時間は短く、パラメータ設定変更が終われば、パラメータ設定画面またはモニター画面に戻ることで、他の表示器の状態が表示されるので、大問題になることは少ない。大型の液晶表示器２７であれば、他の表示器の状態を表示することが可能である。
【００５５】
以上のように、従来の調節計では、１台の表示器を見ているユーザーが、他の表示器の状態がモニター画面かパラメータ設定画面かを認識することができる。
ある表示器がパラメータ設定画面あるいはパラメータ設定変更画面を表示していると他の表示器がパラメータ設定画面に遷移できないというロック機能が、調節計に備えられている場合がある。この場合、ユーザーは他の表示器の状態情報を見て、自身が操作している表示器がパラメータ設定画面にならない原因を知ることができ、必要ならばロック機能を解除することも可能である。
【００５６】
ただし、ロック機能を解除するには、（ａ）パラメータ設定画面を表示している表示器の所に行き、その表示器の操作者に会ってモニター画面への切り替えを依頼する、（ｂ）パラメータ設定画面を表示している表示器の操作者に電話や電子メールなどで連絡してモニター画面への切り替えを依頼する、（ｃ）パラメータ設定画面を表示している表示器を強制的にモニター画面にする、といういずれかの処置が必要である。
【００５７】
（ａ）の処置のためには、パラメータ設定画面を表示している表示器の所に行く必要がある。その表示器が遠い地点にある場合は多くの時間が必要となる。その表示器の所に行けない場合、（ａ）の処置をとることは困難である。
【００５８】
（ｂ）の処置は、パラメータ設定画面を表示している表示器の所に行く必要はないが、その表示器の操作者を特定して連絡する必要がある。操作者を特定できない場合は操作者の候補に連絡して、操作者を特定する必要がある。操作者を知らない場合、（ｂ）の処置をとることは困難である。
【００５９】
（ｃ）の処置は、他の表示器を強制的にモニター画面にするという仕様の作り込みが必要となる、そのため、表示器の操作手順が複雑になり、表示器のハードウェアまたはソフトウェアの設計も複雑になる。
【００６０】
調節計に上記のロック機能がない場合、ユーザーは他の表示器の状態情報を見て、パラメータ設定の操作の競合の可能性を認識することができる。競合を回避するためには、（α）パラメータ設定画面を表示している表示器の所に行き、その表示器の操作者に会って競合の回避方法を決める、（β）パラメータ設定画面を表示している表示器の操作者に電話や電子メールなどで連絡して競合の回避方法を決める、（γ）パラメータ設定画面を表示している表示器を強制的にモニター画面にする、といういずれかの処置が必要である。（α）、（β）、（γ）の処置における問題点は、調節計にロック機能がある場合と同等である。なお、以上の問題点は調節計以外のフィールド機器においても同様に発生する。
【先行技術文献】
【特許文献】
【００６１】
【特許文献１】特開平８−２１１９２９号公報
【発明の概要】
【発明が解決しようとする課題】
【００６２】
本発明は、上記問題点を解決するためになされたもので、パラメータ設定変更操作の競合を回避するための構成およびユーザーの操作手順を簡略化することができるフィールド機器を提供することを目的とする。
【課題を解決するための手段】
【００６３】
本発明のフィールド機器は、設定されたパラメータに従って所定の動作を行うように構成された本体部と、情報表示のための複数の表示器と、前記表示器毎に設けられた複数の操作部とを備え、前記本体部は、前記表示器からの要求に応じて前記パラメータを設定変更するように構成された本体情報処理部と、前記表示器から送られたメッセージを宛先の表示器に転送するように構成された第１の表示器間協調処理部とを備え、各表示器は、前記操作部に対するユーザーのパラメータ設定変更操作に応じて前記パラメータを設定変更するよう前記本体部に要求するように構成されたパラメータ処理部と、前記操作部に対するユーザーの操作に応じて他の表示器のユーザーに対するメッセージを作成するように構成されたメッセージ作成部と、このメッセージ作成部によって作成されたメッセージを前記本体部に送り、他の表示器から前記本体部を経由して送られたメッセージを受け取るように構成された第２の表示器間協調処理部と、前記他の表示器から送られたメッセージを表示するように構成された画面制御処理部とを備えることを特徴とするものである。
【００６４】
また、本発明のフィールド機器の１構成例において、前記メッセージ作成部は、予め用意されている前記メッセージの種類に対するユーザーの選択結果に応じて前記メッセージを作成することを特徴とするものである。
また、本発明のフィールド機器の１構成例は、前記メッセージの種類として、他の表示器のユーザーに対してその人が誰かを問うメッセージ、他の表示器のユーザーに対して自分が誰かを明らかにするメッセージ、他の表示器のユーザーに対して自分に電話をかけることを求めるメッセージ、他の表示器のユーザーに対して操作中止を求めるメッセージが予め用意されていることを特徴とするものである。
また、本発明のフィールド機器の１構成例において、前記画面制御処理部は、前記本体部の状態を監視するためのモニター画面、または前記パラメータを設定変更するためのパラメータ設定画面のいずれかの表示中に、前記他の表示器から送られたメッセージを表示することを特徴とするものである。
【００６５】
また、本発明のフィールド機器の１構成例において、前記本体部は、各表示器の状態情報を記憶するように構成された第１の表示器情報記憶部と、各表示器から送られた状態情報を受け取って前記第１の表示器情報記憶部に記憶された状態情報を更新し、前記第１の表示器情報記憶部に記憶された状態情報を各表示器に送るように構成された第１の表示器情報処理部とをさらに備え、各表示器は、自器の状態情報を前記本体部に送り、前記本体部から送られた他の表示器の状態情報を受け取るように構成された第２の表示器情報処理部と、前記他の表示器の状態情報を記憶するように構成された第２の表示器情報記憶部とをさらに備え、前記画面制御処理部は、前記第２の表示器情報記憶部に記憶された他の表示器の状態情報を表示することを特徴とするものである。
【発明の効果】
【００６６】
本発明によれば、本体部に第１の表示器間協調処理部を設け、各表示器にメッセージ作成部と第２の表示器間協調処理部と画面制御処理部とを設けることにより、表示器を操作したいユーザーは、他の表示器のユーザーに対してメッセージを送ることができ、ユーザー間の相談によってパラメータ設定変更操作の競合を回避することが可能となる。また、本発明では、操作を１台の表示器に限定するロック機能が不要となるので、操作を限定することによる操作性の悪化を回避することができる。また、ロック機能を設ける場合と比較して表示器の操作手順を簡略化することができ、表示器のハードウェアおよびソフトウェアの設計も簡略化することができる。
【図面の簡単な説明】
【００６７】
【図１】図１は、本発明の実施例に係る調節計の接続形態を示す図である。
【図２】図２は、本発明の実施例に係る調節計の別の接続形態を示す図である。
【図３】図３は、本発明の実施例に係る調節計の本体部の構成を示すブロック図である。
【図４】図４は、本発明の実施例に係る調節計において一方の表示器に他方の表示器からのメッセージを表示する動作を説明するフローチャートである。
【図５】図５は、本発明の実施例に係る調節計の本体部の別の構成を示すブロック図である。
【図６】図６は、本発明の実施例に係る調節計の表示器の構成を示すブロック図である。
【図７】図７は、本発明の実施例に係る調節計において一方の表示器から他方の表示器にメッセージを送る動作を説明するフローチャートである。
【図８】図８は、本発明の実施例に係る調節計において一方の表示器から送られたメッセージを他方の表示器に表示する動作を説明するフローチャートである。
【図９】図９は、本発明の実施例に係る表示器におけるボタン操作と画面遷移を示す図である。
【図１０】図１０は、本発明の実施例に係る表示器に表示されるモニター画面の１例を示す図である。
【図１１】図１１は、本発明の実施例に係る表示器に表示されるモニター画面の別の例を示す図である。
【図１２】図１２は、本発明の実施例に係る表示器に表示されるパラメータ設定画面の１例を示す図である。
【図１３】図１３は、本発明の実施例に係る表示器に表示されるパラメータ設定変更画面の１例を示す図である。
【図１４】図１４は、本発明の実施例に係る表示器に表示されるメッセージ設定画面の１例を示す図である。
【図１５】図１５は、本発明の実施例に係る調節計において表示器にメッセージ設定画面を表示する動作を説明するフローチャートである。
【図１６】図１６は、本発明の実施例に係る表示器に表示されるメッセージ作成画面の１例を示す図である。
【図１７】図１７は、本発明の実施例に係る調節計において表示器にメッセージ作成画面を表示する動作を説明するフローチャートである。
【図１８】図１８は、本発明の実施例に係る表示器に表示されるメッセージ送付通知の１例を示す図である。
【図１９】図１９は、本発明の実施例に係る表示器に表示されるメッセージの１例を示す図である。
【図２０】図２０は、本発明の実施例に係る表示器に表示されるモニター画面の別の例を示す図である。
【図２１】図２１は、本発明の実施例に係る表示器に表示されるモニター画面の別の例を示す図である。
【図２２】図２２は、本発明の実施例に係る表示器に表示されるモニター画面の別の例を示す図である。
【図２３】図２３は、本発明の実施例に係る調節計の本体部と表示器を実現するコンピュータの構成例を示すブロック図である。
【図２４】図２４は、従来の調節計の本体部１００部の構成を示すブロック図である。
【図２５】図２５は、従来の調節計において一方の表示器のモニター画面に制御量と設定値と操作量と他方の表示器の状態とを表示する動作を説明するフローチャートである。
【図２６】図２６は、従来の調節計においてパラメータを設定する動作を説明するフローチャートである。
【図２７】図２７は、従来の表示器の構成を示すブロック図である。
【図２８】図２８は、従来の調節計において表示器にモニター画面を表示する動作を説明するフローチャートである。
【図２９】図２９は、従来の調節計において表示器の状態を本体部に送る動作を説明するフローチャートである。
【図３０】図３０は、従来の調節計において表示器にパラメータ設定画面を表示する動作を説明するフローチャートである。
【図３１】図３１は、従来の表示器の正面図である。
【図３２】図３２は、従来の表示器におけるボタン操作と画面遷移を示す図である。
【図３３】図３３は、従来のモニター画面の１例を示す図である。
【図３４】図３４は、従来のモニター画面の別の例を示す図である。
【図３５】図３５は、従来のパラメータ設定画面の１例を示す図である。
【図３６】図３６は、従来のパラメータ設定変更画面の１例を示す図である。
【図３７】図３７は、従来の調節計において表示器にパラメータ設定変更画面を表示する動作を説明するフローチャートである。
【発明を実施するための形態】
【００６８】
［発明の原理］
本発明では、他の表示器にメッセージを送ることにより、他の表示器のユーザーとの連絡を実現することができる。また、本発明では、各表示器に識別コードを付与することにより、表示器が自機と他機を区別できるようになる。表示器に識別コードを付与しない場合に比べると、表示器の制御プログラムは少し複雑になるが、利便性を向上させることができる。
【００６９】
［実施例］
以下、本発明の実施例について図面を参照して説明する。図１は本実施例に係る調節計の接続形態を示す図である。図１の例では、１台の本体部１に２台の表示器２Ａ，２Ｂが接続されている。本体部１は、計測（入力処理）と制御（演算処理）と操作端操作（出力処理）とを行う。ユーザーは、表示器２Ａまたは２Ｂの画面を見て本体部１の状態を監視し、表示器２Ａまたは２Ｂを操作して本体部１のパラメータを設定する。本体部１と表示器２Ａ，２Ｂとの間は、それぞれ独立した系統の通信信号線３Ａ，３Ｂによって接続される。本体部１に３台以上の表示器を接続することも可能であるが、本体部１に接続する表示器と同じ数の通信ポートが本体部１に必要である。
【００７０】
図２は本実施例に係る調節計の別の接続形態を示す図である。図２の例では、１台の本体部１に４台の表示器２Ａ，２Ｂ，２Ｃ，２Ｄが１系統の通信信号線３によって接続されている。この例では、１個の通信ポートが本体部１に必要である。
【００７１】
本発明は、図１、図２のいずれの接続形態にも適用可能である。また、通信信号線の代わりに無線回線を介して本体部と表示器との間を接続することも可能である。したがって、以下の説明では本体部と表示器との接続形態を限定せずに説明する。また、本実施例では、表示器が２台の場合について説明するが、表示器が３台以上であってもよい。
【００７２】
図３は本実施例の調節計の本体部１の構成を示すブロック図であり、図２４と同様の構成には同一の符号を付してある。本体部１は、本体情報記憶部１０と、本体情報処理部１１と、通信情報提供処理部１２と、通信電文処理部１３Ａ，１３Ｂと、通信要求受付処理部１４と、表示器情報処理部１５と、表示器情報記憶部１６と、表示器間協調処理部１７とを備えている。
【００７３】
従来と同様に、調節計の計測と制御と操作端（外部装置）操作の状態のデータ（制御量ＰＶ、設定値ＳＰ、操作量ＭＶ）、および本体部１のパラメータが本体情報記憶部１０に格納される。周知のとおり、本体部１の操作端操作処理部（不図示）は、制御量ＰＶと設定値ＳＰとに基づいて操作量ＭＶを算出する。制御対象に対して出力される操作量ＭＶにより制御対象の制御が行われることは言うまでもない。
【００７４】
本実施例では、従来の調節計に対し、表示器間協調処理部１７を追加して、表示器２Ａと２Ｂ間のメッセージの処理を行う。また、従来技術における表示器の状態情報や要求は、表示器間協調処理部１７を経由するが、従来技術と同様に表示器情報処理部１５が表示器情報記憶部１６への格納や取り出しを行う。
【００７５】
＜例４−１＞
次に、本実施例の調節計において、表示器２Ａに表示器２Ｂからのメッセージを表示するときの動作の例を図４を参照して説明する。表示器間のメッセージの種類としては、ＷＨＯ、ＩＡＭ、ＴＥＬ、ＱＵＩＴがある。
【００７６】
ＷＨＯは、他の表示器を監視または操作しているユーザーに対して、その人が誰かを問う質問メッセージである。
ＩＡＭは、ユーザー自身のＩＤ（identification）を送信することで、他の表示器を監視または操作しているユーザーに対して、自分が誰かを明らかにする応答メッセージである。
【００７７】
ＴＥＬは、ユーザー自身の電話番号を送信することで、他の表示器を監視または操作しているユーザーに対して、自分に電話をかけることを求める要求メッセージである。
ＱＵＩＴは、他の表示器を操作しているユーザーに対して、操作中止を求める要求メッセージである。
なお、各メッセージには、発信元の表示器の識別コードと宛先の表示器の識別コードとが含まれている。
【００７８】
通信電文処理部１３Ｂは、表示器２Ｂから表示器２Ａへのメッセージを含む通信電文を受信すると（図４ステップＳ１００）、この通信電文を解釈してメッセージを取り出し、表示器２Ｂ発−表示器２Ａ宛のメッセージの表示要求を生成する（図４ステップＳ１０１）。
【００７９】
通信要求受付処理部１４は、通信電文処理部１３Ｂによって生成されたメッセージ表示要求を受け取り、表示器間協調処理部１７に渡す（図４ステップＳ１０２）。表示器間協調処理部１７は、表示器２Ｂから送られたメッセージを宛先の表示器２Ａに転送するために、通信要求受付処理部１４から渡されたメッセージ表示要求を通信情報提供処理部１２に渡す（図４ステップＳ１０３）。通信情報提供処理部１２は、このメッセージ表示要求をメッセージの宛先に対応する通信電文処理部１３Ａに渡す（図４ステップＳ１０４）。
【００８０】
通信電文処理部１３Ａは、通信情報提供処理部１２からメッセージ表示要求を受け取ると、表示器２Ｂ発−表示器２Ａ宛のメッセージを含む通信電文を作成し（図４ステップＳ１０５）、作成した通信電文を表示器２Ａに送る（図４ステップＳ１０６）。
【００８１】
＜例４−２＞
次に、本実施例の調節計において、表示器２Ｂに表示器２Ａからのメッセージを表示するときの動作の例を説明する。処理の流れは例４−１の場合と同様なので、図４の符号を用いて説明する。
【００８２】
通信電文処理部１３Ａは、表示器２Ａから表示器２Ｂへのメッセージを含む通信電文を受信すると（図４ステップＳ１００）、この通信電文を解釈してメッセージを取り出し、表示器２Ａ発−表示器２Ｂ宛のメッセージの表示要求を生成する（図４ステップＳ１０１）。
【００８３】
通信要求受付処理部１４は、通信電文処理部１３Ａによって生成されたメッセージ表示要求を受け取り、表示器間協調処理部１７に渡す（図４ステップＳ１０２）。表示器間協調処理部１７は、このメッセージ表示要求を通信情報提供処理部１２に渡す（図４ステップＳ１０３）。通信情報提供処理部１２は、このメッセージ表示要求をメッセージの宛先に対応する通信電文処理部１３Ｂに渡す（図４ステップＳ１０４）。
【００８４】
通信電文処理部１３Ｂは、通信情報提供処理部１２からメッセージ表示要求を受け取ると、表示器２Ａ発−表示器２Ｂ宛のメッセージを含む通信電文を作成し（図４ステップＳ１０５）、作成した通信電文を表示器２Ｂに送る（図４ステップＳ１０６）。
【００８５】
図３に示した本体部１の構成は図１に示した接続形態に対応するものである。図２に示した接続形態に対応する本体部１の構成を図５に示す。この図５に示す本体部１の構成は、図３に示した構成に、通信送受信処理部１８を追加したものである。
【００８６】
通信送受信処理部１８は、表示器２Ａから本体部１に送信される通信電文を、表示器２Ａに対応する通信電文処理部１３Ａに送る。また、通信送受信処理部１８は、通信電文処理部１３Ａからの通信電文を、通信電文処理部１３Ａに対応する表示器２Ａに送る。同様に、通信送受信処理部１８は、表示器２Ｂから本体部１に送信される通信電文を、表示器２Ｂに対応する通信電文処理部１３Ｂに送る。また、通信送受信処理部１８は、通信電文処理部１３Ｂからの通信電文を、通信電文処理部１３Ｂに対応する表示器２Ｂに送る。
【００８７】
図６は本実施例の表示器２Ａの構成を示すブロック図であり、図２７と同様の構成には同一の符号を付してある。表示器２Ａは、通信電文処理部２０と、本体情報処理部２１と、本体情報記憶部２２と、表示器情報処理部２３と、表示器情報記憶部２４と、画面制御処理部２５ａと、表示処理部２６と、液晶表示器２７と、パラメータ処理部２８と、パラメータ記憶部２９と、タッチセンサ３０（操作部）と、操作入力処理部３１と、表示器間協調処理部３２と、メッセージ作成部３３とを備えている。
本実施例の画面制御処理部２５ａは、従来の画面制御処理部２５の処理に加えて、本実施例で説明する処理を行う。
【００８８】
図６では、表示器２Ａの構成を示しているが、表示器２Ｂの構成も表示器２Ａと同様である。従来技術に対して、表示器間協調処理部３２とメッセージ作成部３３とを追加して、他の表示器にメッセージを送れるようにして、表示器を介したユーザー間の簡易なコミュニケーションを可能とする。
【００８９】
＜例５−１＞
本実施例の調節計において、表示器２Ａのモニター画面に、制御量ＰＶと設定値ＳＰと操作量ＭＶと表示器２Ｂの状態とを表示する動作は、例１−１（図２５）、例２−１（図２８）と同様である。
本実施例の調節計において、表示器２Ａから表示器２Ａの状態情報を本体部１に送る動作は、例２−２（図２９）と同様である。
本実施例の調節計において、表示器２Ａのパラメータ設定画面に、パラメータの設定値と表示器２Ｂの状態とを表示する動作は、例２−３（図３０）と同様である。パラメータ設定変更の動作は、図２６、図３７と同様である。
【００９０】
次に、本実施例の調節計において、表示器２Ａにメッセージ設定画面が表示されているときの動作の例を説明する。ユーザーは、表示器２Ａにメッセージ設定画面が表示されているときに、表示器２Ａのタッチセンサ３０を操作してメッセージの宛先の選択を行い、さらにメッセージ作成画面に切り替えて、メッセージの作成とメッセージの送付とを行うことが可能である。調節計で、表示器２Ａから表示器２Ｂにメッセージを送る動作の例を図７を参照して説明する。
【００９１】
表示器２Ａの操作入力処理部３１は、表示器２Ａのタッチセンサ３０に対するユーザーの操作を検出すると（図７ステップＳ２００においてＹＥＳ）、ユーザーの操作を表示器２Ａの画面制御処理部２５ａに伝える。画面制御処理部２５ａは、このユーザーの操作をメッセージ作成部３３に伝える。
【００９２】
表示器２Ａのメッセージ作成部３３は、ユーザーの操作に応じたメッセージ作成処理を行い（図７ステップＳ２０１）、作成完了後、ユーザーが作成したメッセージの内容を含む表示器２Ｂ宛のメッセージ用データを生成して（図７ステップＳ２０２）、生成したメッセージ用データを表示器２Ａの表示器間協調処理部３２に渡す（図７ステップＳ２０３）。上記のとおり、メッセージには、発信元の表示器２Ａの識別コードと宛先の表示器２Ｂの識別コードとが含まれている。自器および他の表示器２Ｂの識別コードは、表示器２Ａの表示器情報記憶部２４に予め記憶されている。メッセージ作成処理の詳細については後述する。
【００９３】
表示器２Ａの表示器間協調処理部３２は、画面制御処理部２５ａから受け取ったメッセージ用データに基づいて表示器２Ａ発−表示器２Ｂ宛のメッセージ送付要求を生成し（図７ステップＳ２０４）、生成したメッセージ送付要求を表示器２Ａの通信電文処理部２０に渡す（図７ステップＳ２０５）。
【００９４】
表示器２Ａの通信電文処理部２０は、表示器間協調処理部３２からメッセージ送付要求を受け取ると、表示器２Ａ発−表示器２Ｂ宛のメッセージを含む通信電文を作成し（図７ステップＳ２０６）、作成した通信電文を本体部１に送る（図７ステップＳ２０７）。
【００９５】
表示器２Ｂから表示器２Ａにメッセージを送るときの表示器２Ｂの動作は、図７で説明した表示器２Ａの動作と同じなので、説明は省略する。
【００９６】
＜例５−２＞
次に、本実施例の調節計において、表示器２Ｂから送られたメッセージを表示器２Ａに表示する動作の例を図８を参照して説明する。
表示器２Ａは、モニター設定画面の第２表示領域あるいはパラメータ設定画面の第２表示領域に、表示器２Ｂの状態情報と同様に表示器２Ｂからのメッセージを表示する。
【００９７】
表示器２Ａの通信電文処理部２０は、表示器２Ｂ発−表示器２Ａ宛のメッセージを含む通信電文を本体部１から受信すると（図８ステップＳ３００においてＹＥＳ）、この通信電文を解釈してメッセージを取り出し、表示器２Ｂ発−表示器２Ａ宛のメッセージ表示要求を生成する（図８ステップＳ３０１）。
【００９８】
表示器２Ａの表示器間協調処理部３２は、通信電文処理部２０から表示器２Ｂ発−表示器２Ａ宛のメッセージ表示要求を受け取ると、メッセージの内容を含む、表示器２Ｂ発のメッセージ用データを生成して（図８ステップＳ３０２）、生成したメッセージ用データを表示器情報記憶部２４に格納する（図８ステップＳ３０３）。
【００９９】
表示器２Ａの画面制御処理部２５ａは、表示器２Ｂ発のメッセージ用データを表示器情報記憶部２４から読み出し、表示器２Ｂ発のメッセージを第２表示領域に表示するための画面表示用データを生成して（図８ステップＳ３０４）、生成した画面表示用データを表示器２Ａの表示処理部２６に渡す（図８ステップＳ３０５）。
【０１００】
表示器２Ａの表示処理部２６は、受け取った画面表示用データに従って液晶表示器２７を制御する。これにより、液晶表示器２７のモニター画面の第２表示領域あるいはパラメータ設定画面の第２表示領域に、表示器２Ｂ発−表示器２Ａ宛のメッセージが表示される（図８ステップＳ３０６）。
【０１０１】
表示器２Ａから送られたメッセージを表示器２Ｂに表示するときの表示器２Ｂの動作は、図８で説明した表示器２Ａの動作と同じなので、説明は省略する。
【０１０２】
次に、表示器２Ａ，２Ｂの液晶表示器２７とタッチセンサ３０について説明する。以下の例では、表示器２Ａについて説明するが、表示器２Ｂの構成も表示器２Ａと同様である。表示器２Ａを正面から見ると、図３１と同様に、液晶表示器２７の表面にタッチセンサ３０が配置された領域と、それらを囲むベゼル２０１２とがある。図９は表示器２Ａにおけるボタン操作と画面遷移を示す図である。
【０１０３】
＜例６−１＞
表示器２Ａに表示されるモニター画面の１例を説明する。モニター画面なので、画面切り替えボタンの表示は、図１０に示すように、モニター画面を意味するＭＯＮＩボタン２０４が黒地に白文字の選択状態、パラメータ設定を意味するＰＡＲＡボタン２０５とメッセージ設定を意味するＭＥＳＳボタン２０６とが白地の黒文字の非選択状態になっている。モニター画面には、本体部１の状態情報として、制御量ＰＶ、設定値ＳＰ、操作量ＭＶの各値が表示される。
【０１０４】
また、モニター画面の最下部には、表示器２Ｂの状態情報２０７が表示される。図１０の例では、表示器２Ｂを意味する「ＨＭＩ−Ｂ」とモニター画面を意味する「Ｍｏｎｉｔｏｒｉｎｇ」とが表示されているので、表示器２Ｂがモニター画面を表示していることが分かる。したがって、表示器２Ａのモニター画面を見ているユーザーは、表示器２Ｂでパラメータ設定操作が行われていないので、表示器２Ａでパラメータ設定操作を行っても、操作が競合することはないと分かる。
【０１０５】
＜例６−２＞
次に、表示器２Ａに表示されるモニター画面の別の例を説明する。図１１の例では、モニター画面の最下部に表示される、表示器２Ｂの状態情報２０７として、表示器２Ｂを意味する「ＨＭＩ−Ｂ」とパラメータ設定画面を意味する「Ｐａｒａ  ｓｅｔｔｉｎｇ」とが表示されているので、表示器２Ｂがパラメータ設定画面を表示していることが分かる。したがって、表示器２Ａのモニター画面を見ているユーザーは、表示器２Ｂでパラメータ設定操作が行われているので、表示器２Ａでパラメータ設定操作を行うと、操作が競合する可能性があると分かる。
【０１０６】
なお、表示器２Ａにモニター画面を表示するときの本体部１と表示器２Ａの動作は、第３表示領域に表示されるボタン類が異なる点を除いて、図２５、図２８で説明したとおりである。
表示器２Ａの画面制御処理部２５ａは、制御量ＰＶと設定値ＳＰと操作量ＭＶとを本体情報記憶部２２から読み出すと共に、表示器１０１Ｂの状態情報を表示器情報記憶部２４から読み出し、制御量ＰＶと設定値ＳＰと操作量ＭＶとを第１表示領域に、表示器１０１Ｂの状態を第２表示領域に、ＭＯＮＩボタン２０４とＰＡＲＡボタン２０５とＭＥＳＳボタン２０６とを第３表示領域にそれぞれ表示するための画面表示用データを生成して表示器１０１Ａの表示処理部２６に渡す（図２８ステップＳ１２０６）。
【０１０７】
＜例６−３＞
次に、表示器２Ａのモニター画面をパラメータ設定画面に切り替えたときの動作の例を説明する。図１０のように表示器２Ａにモニター画面が表示されている状態で、ユーザーがＰＡＲＡボタン２０５を押すと、図１２に示すようなパラメータ設定画面になる（図９の３００の遷移）。
【０１０８】
表示器２Ａの画面制御処理部２５ａは、表示器２Ａの操作入力処理部３１を介してＰＡＲＡボタン２０５が操作されたことを検出すると、モニター画面からパラメータ設定画面に切り替える。表示器２Ａにパラメータ設定画面を表示するときの本体部１と表示器２Ａの動作は、第３表示領域に表示されるボタン類が異なる点を除いて、図２５、図３０で説明したとおりである。
【０１０９】
表示器１０１Ａの画面制御処理部２５ａは、パラメータの設定値をパラメータ記憶部２９から読み出すと共に、表示器１０１Ｂの状態情報を表示器情報記憶部２４から読み出し、パラメータを識別するためのパラメータの名称または番号とパラメータの設定値とを第１表示領域に、表示器１０１Ｂの状態を第２表示領域に、ＭＯＮＩボタン２０４とＰＡＲＡボタン２０５とＭＥＳＳボタン２０６と左矢印（←）ボタン２０８と右矢印（→）ボタン２０９とＣｈａｎｇｅボタン２１０とを第３表示領域にそれぞれ表示するための画面表示用データを生成して表示器１０１Ａの表示処理部２６に渡す（図３０ステップＳ１４１０）。
【０１１０】
パラメータ設定画面なので、画面切り替えボタンの表示は、ＭＯＮＩボタン２０４とＭＥＳＳボタン２０６とが白地に黒文字の非選択状態、ＰＡＲＡボタン２０５が黒地の白文字の選択状態になっている。パラメータ設定画面には、複数のパラメータの中から１つのパラメータの値が表示される。図１２の例では、設定値ＳＰの値が表示されている。
【０１１１】
さらに、パラメータ設定画面の最下部には、表示器２Ｂの状態情報２０７が表示される。図１２の例では、表示器２を意味する「ＨＭＩ−Ｂ」とモニター画面を意味する「Ｍｏｎｉｔｏｒｉｎｇ」とが表示されているので、表示器２Ｂがモニター画面を表示していることが分かる。
【０１１２】
＜例６−４＞
次に、表示器２Ａに表示されるパラメータ設定変更画面の例を説明する。図１２のように表示器２Ａにパラメータ設定画面が表示されている状態で、ユーザーがＣｈａｎｇｅボタン２１０を押すと、図１３に示すようなパラメータ設定変更画面になる（図９の３０１の遷移）。ここでは、図１２の状態で設定値ＳＰが表示されていたので、設定値ＳＰを変更するパラメータ設定変更画面になる。
【０１１３】
パラメータ設定変更画面には、設定変更対象のパラメータの数値と、テンキーと呼ばれる複数のボタンとが表示される。テンキーには、「０」から「９」の数字ボタン２１１と、小数点ボタン２１２と、符号を反転させる反転ボタン２１３と、入力を全て消すためのＣボタン２１４と、最後の入力を消すためのＢＳボタン２１５と、入力を完了してパラメータ設定画面に戻るためのＥＮＴボタン２１６と、入力を中止してパラメータ設定画面に戻るためのＣＡＮボタン２１７とがある。
【０１１４】
従来と同様に、表示器２Ａにパラメータ設定変更画面が表示されている状態で、ユーザーがＥＮＴボタン２１６またはＣＡＮボタン２１７を押すと、パラメータ設定画面になる（図９の３０２の遷移）。また、表示器２Ａにパラメータ設定画面が表示されている状態で、ユーザーがＭＯＮＩボタン２０４を押すと、モニター画面になる（図９の３０３の遷移）。
【０１１５】
＜例６−５＞
次に、表示器２Ａに表示されるメッセージ設定画面の例を説明する。表示器２Ａにモニター画面またはパラメータ設定画面が表示されている状態で、ユーザーがＭＥＳＳボタン２０６を押すと、図１４に示すようなメッセージ設定画面になる（図９の３０４の遷移）。なお、図１４の例では、本体部１に４台の表示器２Ａ，２Ｂ，２Ｃ，２Ｄが接続されている場合について示している。
【０１１６】
表示器２Ａにメッセージ設定画面を表示するときの動作の例を図１５を参照して説明する。表示器２Ａの通信電文処理部２０は、本体部１から表示器２Ｂの状態を示す通信電文を受信し（図１５ステップＳ４００）、この通信電文を解釈して、表示器２Ｂの状態情報を取り出して表示器２Ａの表示器情報処理部２３に渡す（図１５ステップＳ４０１）。表示器２Ａの表示器情報処理部２３は、受け取った表示器２Ｂの状態情報を表示器２Ａの表示器情報記憶部２４に格納する（図１５ステップＳ４０２）。
【０１１７】
表示器２Ａの画面制御処理部２５ａは、表示器２Ｂの状態情報と図１４に示すボタン類とを表示するための画面表示用データを生成して表示器２Ａの表示処理部２６に渡す（図１５ステップＳ４０３）。
【０１１８】
表示器２Ａの表示処理部２６は、受け取った画面表示用データに従って液晶表示器２７を制御する。これにより、表示器２Ａに図１４に示すようなメッセージ設定画面が表示される（図１５ステップＳ４０４）。
【０１１９】
メッセージ設定画面なので、画面切り替えボタンの表示は、ＭＯＮＩボタン２０４とＰＡＲＡボタン２０５とが白地に黒文字の非選択状態、ＭＥＳＳボタン２０６が黒地の白文字の選択状態になっている。また、メッセージ設定画面には、メッセージ宛先選択ボタンが表示される。メッセージ宛先選択ボタンには、表示器２Ａを意味するＨＭＩ−Ａボタン２１８と、表示器２Ｂを意味するＨＭＩ−Ｂボタン２１９と、表示器２Ｃを意味するＨＭＩ−Ｃボタン２２０と、表示器２Ｄを意味するＨＭＩ−Ｄボタン２２１とがある。
【０１２０】
ここでは、表示器２Ａにメッセージ設定画面を表示しているため、自機を意味するＨＭＩ−Ａボタン２１８が、灰色地に黒文字の選択不可状態になっている。表示器２Ｃ，２Ｄは自機でも宛先でもないため、ＨＭＩ−Ｃボタン２２０とＨＭＩ−Ｄボタン２２１とが白地に黒文字の非選択状態になっている。ユーザーは、ＨＭＩ−Ｂボタン２１９、ＨＭＩ−Ｃボタン２２０、ＨＭＩ−Ｄボタン２２１のいずれかを押すことにより、自機以外の表示器２Ｂ，２Ｃ，２Ｄのいずれかをメッセージの宛先として選択することが可能である。図１４の例では、ユーザーが表示器２Ｂをメッセージの宛先として選択してＨＭＩ−Ｂボタン２１９を押したため、ＨＭＩ−Ｂボタン２１９が黒地の白文字の選択状態になっている。
さらに、メッセージ設定画面には、メッセージ設定のためのＭｅｓｓａｇｅボタン２２２が表示される。
【０１２１】
＜例６−６＞
次に、表示器２Ａに表示されるメッセージ作成画面の例を説明する。図１４のように表示器２Ａにメッセージ設定画面が表示されている状態で、ユーザーがＭｅｓｓａｇｅボタン２２２を押すと、図１６に示すようなメッセージ作成画面になる（図９の３０５の遷移）。
【０１２２】
メッセージ作成画面には、メッセージ入力キーと呼ばれる複数のボタンが表示される。図１６の例では、小型の液晶表示器２７で表示面積が狭く、英語や日本語の文字のキーボードが表示できないという理由で、メッセージ入力キーの数が制限されている。
具体的には、メッセージ入力キーとして、４つのメッセージ種類選択キーと、テンキーとが表示される、メッセージ種類選択キーには、メッセージＷＨＯを選択するＷＨＯボタン２２３と、メッセージＩＡＭを選択するＩＡＭボタン２２４と、メッセージＴＥＬを選択するＴＥＬボタン２２５と、メッセージＱＵＩＴを選択するＱＵＩＴボタン２２６とがある。
【０１２３】
テンキーには、「０」から「９」の数字ボタン２２７と、空白を入力するためのスペースボタン２２８と、ハイフン（−）を入力するためのハイフンボタン２２９と、入力を全て消すためのＣボタン２３０と、最後の入力を消すためのＢＳボタン２３１と、入力を完了してメッセージ設定画面に戻るためのＥＮＴボタン２３２と、入力を中止してメッセージ設定画面に戻るためのＣＡＮボタン２３３とがある。
【０１２４】
上記のとおり、メッセージＷＨＯは、他の表示器を監視または操作しているユーザーに対して、その人が誰かを問う質問メッセージである。
メッセージＩＡＭは、ユーザー自身のＩＤをメッセージに含めることによって、他の表示器を監視または操作しているユーザーに対して、自分が誰かを明らかにするメッセージである。したがって、メッセージＩＡＭを質問メッセージＷＨＯへの回答として使うこともできる。ＩＤは、あらかじめユーザー間で取り決めてある社員番号や電話番号などである。ＩＤが分かれば、電話や電子メールなどでユーザー同士が相互に連絡可能である。
【０１２５】
メッセージＴＥＬは、ユーザー自身の電話番号をメッセージに含めることによって、他の表示器を監視または操作しているユーザーに対して、自分に電話をかけることを求める要求メッセージである。
メッセージＱＵＩＴは、他の表示器を操作しているユーザーに対して、操作中止を求める要求メッセージである。
【０１２６】
メッセージ作成画面の最下部の領域２３４には、ユーザーが作成中のメッセージが表示される。
ユーザーがＥＮＴボタン２３２を押すと、入力完了となり、メッセージが送信される。ユーザーがＣＡＮボタン２３３を押した場合には、入力中止となり、メッセージを送信しない。また、ユーザーがＥＮＴボタン２３２またはＣＡＮボタン２３３を押すと、メッセージ設定画面に戻る（図９の３０６の遷移）。
【０１２７】
表示器２Ａにメッセージ設定画面が表示されている状態で、ユーザーがＭＯＮＩボタン２０４を押すと、モニター画面になる（図９の３０７の遷移）。また、表示器２Ａにモニター画面が表示されている状態で、ユーザーがＭＥＳＳボタン２０６を押すと、メッセージ設定画面になる（図９の３０８の遷移）。表示器２Ａにメッセージ設定画面が表示されている状態で、ユーザーがＰＡＲＡボタン２０５を押すと、パラメータ設定画面になる（図９の３０９の遷移）。
【０１２８】
表示器２Ａにメッセージ作成画面を表示するときの動作の例を図１７を参照して説明する。表示器２Ａの画面制御処理部２５ａは、図１６に示すボタン類を表示するための画面表示用データを生成して表示器２Ａの表示処理部２６に渡す（図１７ステップＳ５００）。
表示器２Ａの表示処理部２６は、受け取った画面表示用データに従って液晶表示器２７を制御する。これにより、表示器２Ａに図１６に示すようなメッセージ作成画面が表示される（図１７ステップＳ５０１）。
【０１２９】
表示器２Ａのメッセージ作成部３３は、ボタン２２３〜２３１に対するユーザーの操作に応じたメッセージ作成処理を行う（図１７ステップＳ５０２，５０３）。このとき、メッセージ作成部３３は、作成するメッセージに、発信元の表示器２Ａの識別コードと、ユーザーがメッセージ設定画面でメッセージの宛先として選択した表示器２Ｂの識別コードとを含めるようにする。
【０１３０】
そして、画面制御処理部２５ａは、ユーザーが作成中のメッセージを領域２３４に表示すべく画面表示用データを更新する（図１７ステップＳ５０４）。
表示器２Ａの表示処理部２６は、受け取った画面表示用データに従って液晶表示器２７を制御する。これにより、メッセージ作成画面の領域２３４に、ユーザーが作成中のメッセージが表示される（図１７ステップＳ５０５）。
【０１３１】
ユーザーがＥＮＴボタン２３２またはＣＡＮボタン２３３を押すまで、ステップＳ５０２〜Ｓ５０５の処理が繰り返し実行される。
ユーザーがＥＮＴボタン２３２を押すと（図１７ステップＳ５０６においてＹＥＳ）、表示器２Ａのメッセージ作成部３３は、ユーザーが作成したメッセージの内容を含む表示器２Ｂ宛のメッセージ用データを生成して（図１７ステップＳ５０７）、表示器２Ａの画面制御処理部２５ａは、メッセージ設定画面を表示させる（図１７ステップＳ５０８）。メッセージ用データを生成した後の動作は図７で説明したとおりである。
【０１３２】
また、ユーザーがＣＡＮボタン２３３を押すと（図１７ステップＳ５０９においてＹＥＳ）、表示器２Ａの画面制御処理部２５ａは、メッセージ用データを生成することなく、メッセージ設定画面を表示させる（図１７ステップＳ５０８）。
なお、液晶表示器２７が大型であれば、英語や日本語の文字のキーボードを表示できることは言うまでもない。
【０１３３】
＜例６−７＞
次に、表示器２Ａから表示器２Ｂにメッセージを送った場合に表示器２Ｂに表示される画面の１例を説明する。図１８の例は、表示器２Ｂがパラメータ設定画面を表示している最中に、表示器２Ａから表示器２Ｂにメッセージが送付された例を示している。パラメータ設定画面の最下部には、表示器２Ａの状態情報２０７が表示される。図８の例では、表示器２Ａを意味する「ＨＭＩ−Ａ」とメッセージ送付を意味する「Ｍｅｓｓａｇｉｎｇ」とが表示される。したがって、表示器２Ｂのパラメータ設定画面を見ているユーザーは、表示器２Ａからメッセージが送付されたことを認識できる。
【０１３４】
表示器２Ａからメッセージ送付時の状態情報を本体部１に送る動作は、例２−２（図２９）と同様である。
表示器２Ｂのパラメータ設定画面に、パラメータの設定値と表示器２Ａの状態とを表示する動作は、例２−３（図３０）と同様である。
【０１３５】
次に、図１８に示した画面を一定時間表示した後、図１９に示すようにパラメータ設定画面には、表示器２Ａから送付されたメッセージの内容が表示される。図１９の例では、第２表示領域２３５に、電話をかけることを要求する「ＴＥＬ」と、電話番号の「７１２３４５６」とが表示されている。電話番号７１２３４５６は、表示器２Ａを操作しているユーザーの電話番号である。図１９のパラメータ設定画面を見た表示器２Ｂのユーザーが表示されている電話番号に電話をかけると、表示器２Ａのユーザーと電話で話すことができる。
図１９のパラメータ設定画面を表示する動作は、図８で説明した動作と同様である。
【０１３６】
表示器２Ａから送付されたメッセージは表示器２Ｂのユーザーと連絡をとるためのものであり、連絡が取れた後は不要になる。
表示器２Ａにおいて作成したメッセージを消す方法としては、Ｍｅｓｓａｇｅボタン２２２を押してメッセージ作成画面に切り替え、入力を全て消すＣボタン２３０を押してからＥＮＴボタン２３２を押す、という方法がある。また、メッセージの送信から一定時間の経過後に、表示器２Ａの画面制御処理部２５ａがメッセージの内容を自動的に消去するようにしてもよい。
【０１３７】
なお、図１８、図１９の例では、表示器２Ｂがパラメータ設定画面を表示している最中に、表示器２Ａから表示器２Ｂにメッセージが送付された例を説明しているが、表示器２Ｂがモニター画面を表示している場合についても同様に適用できることは言うまでもない。また、表示器２Ｂから表示器２Ａにメッセージが送付された場合についても同様に適用できることは言うまでもない。
【０１３８】
以上のように、本実施例では、表示器を操作したいユーザーは、他の表示器の状態がモニター画面かパラメータ設定画面かを知った上で、他の表示器のユーザーと電話や電子メールなどで容易に連絡を取ることができるので、ユーザー間の相談によってパラメータ設定の競合回避が可能となる。また、従来のようなロック機能が不要となるので、ロック機能を設ける場合と比較して表示器の操作手順を簡略化することができ、表示器のハードウェアおよびソフトウェアの設計も簡略化することができる。
【０１３９】
＜例６−８＞
表示器２Ａに表示されるモニター画面の別の例を図２０を参照して説明する。ここでは、本体部１に４台の表示器が接続されている場合について示している。
図２５、図２８、図３０の例では、本体部に２台の表示器が接続されている場合について説明しているが、本体部１に３台以上の表示器が接続されている場合、本体部１の通信電文処理部１３は、表示器毎に設けられる。本体部１の各通信電文処理部１３は、対応する表示器２からその表示器２の状態を示す通信電文を受信する（図２５ステップＳ１００４）。図２５のステップＳ１００５〜Ｓ１００７で説明した動作により、本体部１の表示器情報記憶部１６に記憶されている各表示器２の状態情報が更新される（図２５ステップＳ１００７）。
【０１４０】
そして、本体部１の表示器情報処理部１５は、各表示器２の状態情報を表示器情報記憶部１６から取り出し、通信情報提供処理部１２に渡す（図２５ステップＳ１００８）。
通信情報提供処理部１２は、本体情報処理部１１から受け取った制御量ＰＶと設定値ＳＰと操作量ＭＶと、表示器情報処理部１５から受け取った各表示器２の状態情報とを各通信電文処理部１３に渡す（図２５ステップＳ１００９）。
各通信電文処理部１３は、作成した通信電文を対応する表示器２に送る（図２５ステップＳ１０１１）。このとき、各通信電文処理部１３は、全ての表示器２の状態情報を送ってもよいし、対応する表示器以外の表示器２の状態情報を送るようにしてもよい。
【０１４１】
こうして、各表示器２の通信電文処理部２０は、本体部１から複数台の表示器２の状態を示す通信電文を受信することが可能である（図２８ステップＳ１２０３、図３０ステップＳ１４０７）。各表示器２の状態情報には、その表示器２に固有の識別コードが付加されている。
【０１４２】
したがって、表示器２Ａの画面制御処理部２５ａは、図２８のステップＳ１２０６で説明したようにモニター画面の画面表示用データを生成する際に、モニター画面の最下部に各表示器の状態情報２３６が表示されるように画面表示用データを生成することができる。
【０１４３】
ここでは、画面制御処理部２５ａは、本体部１に接続されている表示器の台数とユーザーによる操作中の表示器の台数とを数値で表示する。図２０の例では、「ＯＰＥ  １」が、操作中の表示器が１台であることを示し、「ＨＭＩ  ４」が、本体部１に接続されている表示器が４台であることを示している。パラメータ設定画面に図２０と同様の状態情報２３６を表示してもよい。
【０１４４】
＜例６−９＞
表示器２Ａに表示されるモニター画面の別の例を図２１を参照して説明する。ここでは、本体部１に４台の表示器が接続されている場合について示している。
上記と同様に、表示器２Ａの画面制御処理部２５ａは、図２８のステップＳ１２０６で説明したようにモニター画面の画面表示用データを生成する際に、モニター画面の最下部に各表示器の状態情報２３７が表示されるように画面表示用データを生成する。
【０１４５】
ここでは、画面制御処理部２５ａは、本体部１に接続されている表示器とユーザーによる操作中の表示器とを図形（アイコン）で表示する。図２１の例では、４個のアイコン２０２が、本体部１に接続されている表示器が４台であることを示し、アイコン２０２中の★印２０３が、操作中の表示器１台を表している。また、パラメータ設定画面に図２１と同様の状態情報２３７を表示してもよい。
【０１４６】
＜例６−１０＞
表示器２Ｂに表示されるモニター画面の別の例を図２２を参照して説明する。上記のように、表示器２Ａにおいてメッセージ設定画面またはメッセージ作成画面が表示されているときには、表示器２Ｂのモニター画面の最下部に、表示器２Ａを意味する「ＨＭＩ−Ａ」とメッセージ設定画面またはメッセージ作成画面を意味する「ＭＥＳＳ  ｓｅｔｔｉｎｇ」とが表示されているので、表示器２Ａがメッセージ設定画面またはメッセージ作成画面を表示していることが分かる。したがって、表示器２Ｂのモニター画面を見ているユーザーは、表示器２Ａのユーザーがメッセージの作成中であることを認識できる。パラメータ設定画面においても図２２と同様の状態情報２０７を表示することができる。
【０１４７】
また、表示器２Ｂにおいてメッセージ設定画面またはメッセージ作成画面が表示されているときに、表示器２Ａのモニター画面またはパラメータ設定画面に図２２と同様の状態情報を表示できることは言うまでもない。
【０１４８】
なお、本実施例では、パラメータの例として設定値ＳＰを例に挙げて説明しているが、操作量ＭＶを算出する本体部１の操作端操作処理部（不図示）の制御パラメータ（例えばＰＩＤパラメータ）であってもよい。
また、本実施例では、フィールド機器の例として、調節計を例に挙げて説明しているが、本発明は例えば流量計や圧力計など他のフィールド機器にも適用可能である。いずれのフィールド機器においても、本体部は設定されたパラメータに従って所定の動作を行う。
【０１４９】
本実施例で説明した本体部１と表示器２Ａ，２Ｂの各々は、ＣＰＵ（Central Processing Unit）、記憶装置及びインタフェースを備えたコンピュータと、これらのハードウェア資源を制御するプログラムによって実現することができる。このコンピュータの構成例を図２３に示す。コンピュータは、ＣＰＵ５０と、記憶装置５１と、インターフェース装置（以下、Ｉ／Ｆと略する）５２とを備えている。
【０１５０】
本体部１の場合、Ｉ／Ｆ５２には、表示器２Ａ，２Ｂが接続される。また、表示器２Ａ，２Ｂの場合、Ｉ／Ｆ５２には、本体部１と液晶表示器２７とタッチセンサ３０とが接続される。このようなコンピュータにおいて、本発明の方法を実現させるためのプログラムは、フレキシブルディスク、ＣＤ−ＲＯＭ、ＤＶＤ−ＲＯＭ、メモリカードなどの記録媒体に記録された状態で提供され、記憶装置５１に格納される。各々の装置のＣＰＵ５０は、記憶装置５１に格納されたプログラムに従って本実施例で説明した処理を実行する。
【産業上の利用可能性】
【０１５１】
本発明は、調節計などの機器に適用することができる。
【符号の説明】
【０１５２】
１…本体部、２Ａ〜２Ｄ…表示器、１０…本体情報記憶部、１１…本体情報処理部、１２…通信情報提供処理部、１３Ａ，１３Ｂ…通信電文処理部、１４…通信要求受付処理部、１５…表示器情報処理部、１６…表示器情報記憶部、１７…表示器間協調処理部、１８…通信送受信処理部、２０…通信電文処理部、２１…本体情報処理部、２２…本体情報記憶部、２３…表示器情報処理部、２４…表示器情報記憶部、２５ａ…画面制御処理部、２６…表示処理部、２７…液晶表示器、２８…パラメータ処理部、２９…パラメータ記憶部、３０…タッチセンサ、３１…操作入力処理部、３２…表示器間協調処理部、３３…メッセージ作成部。
【図１】
2019070998.tif 000003
【図２】
2019070998.tif 000004
【図３】
2019070998.tif 000005
【図４】
2019070998.tif 000006
【図５】
2019070998.tif 000007
【図６】
2019070998.tif 000008
【図７】
2019070998.tif 000009
【図８】
2019070998.tif 000010
【図９】
2019070998.tif 000011
【図１０】
2019070998.tif 000012
【図１１】
2019070998.tif 000013
【図１２】
2019070998.tif 000014
【図１３】
2019070998.tif 000015
【図１４】
2019070998.tif 000016
【図１５】
2019070998.tif 000017
【図１６】
2019070998.tif 000018
【図１７】
2019070998.tif 000019
【図１８】
2019070998.tif 000020
【図１９】
2019070998.tif 000021
【図２０】
2019070998.tif 000022
【図２１】
2019070998.tif 000023
【図２２】
2019070998.tif 000024
【図２３】
2019070998.tif 000025
【図２４】
2019070998.tif 000026
【図２５】
2019070998.tif 000027
【図２６】
2019070998.tif 000028
【図２７】
2019070998.tif 000029
【図２８】
2019070998.tif 000030
【図２９】
2019070998.tif 000031
【図３０】
2019070998.tif 000032
【図３１】
2019070998.tif 000033
【図３２】
2019070998.tif 000034
【図３３】
2019070998.tif 000035
【図３４】
2019070998.tif 000036
【図３５】
2019070998.tif 000037
【図３６】
2019070998.tif 000038
【図３７】
2019070998.tif 000039